(57)【要約】【課題】  動画像中の人物を容易に識別し、その人物と迅速に連絡を取ることが可能な個人識別通信システム及びプログラムを提供すること。【解決手段】  複数の発光手段と、撮像手段と、撮像手段による画像データに基づく画像を表示可能な表示手段と、表示された画像の所定の領域を選択するための選択手段と、携帯端末機を特定するための複数の識別情報データが夫々各発光手段の点灯パターンを示す固有データと対応付けられて記憶される記憶手段と、撮像手段による画像データから取得点灯パターンデータを取得する取得手段と、選択領域画像データから取得された取得点灯パターンデータと複数の固有データとに基づいて、該取得点灯パターンデータに対応する固有データを決定する決定手段と、該固有データに対応する識別情報データが割り当てられた携帯端末機と通信する通信手段とを備える個人識別通信システム。【選択図】    図１
2008305193.tif 000002
【特許請求の範囲】
【請求項１】
互いに異なる点灯パターンに従って点灯する複数の発光手段と、
撮像手段と、
前記撮像手段により撮像されて得られる画像データに基づく画像を表示することが可能な表示手段と、
前記表示手段により表示された画像のうちの所定の領域を選択するための選択手段と、
携帯端末機への通信先を特定するための互いに異なる複数の識別情報データが、夫々、各前記発光手段の点灯パターンを示す固有データと対応付けられて記憶されている記憶手段と、
前記撮像手段により撮像されて得られる画像データから、前記発光手段の点灯パターンを示す取得点灯パターンデータを取得する取得手段と、
前記選択手段によって選択された領域の画像を示す選択領域画像データから前記取得手段によって取得された取得点灯パターンデータと、予め前記記憶手段に記憶された複数の固有データとに基づいて、当該取得点灯パターンデータに対応する固有データを決定する決定手段と、
前記決定手段により決定された固有データに対応付けられた識別情報データが割り当てられている携帯端末機と通信する通信手段と
を備えたことを特徴とする個人識別通信システム。
【請求項２】
各前記発光手段は、全ての前記発光手段に共通の点灯パターンに従って点灯する位置特定用発光手段と、前記発光手段ごとに異なる点灯パターンに従って点灯する信号伝達用発光手段とから構成されることを特徴とする請求項１に記載の個人識別通信システム。
【請求項３】
各前記発光手段の点灯を制御する制御手段と、
前記携帯端末機が通信中であるか否かを判断する判断手段とを備え、
前記制御手段は、前記携帯端末機が通信中でないと前記判断手段により判断された場合には、該携帯端末機の識別情報データと対応付けられた固有データに対応する発光手段を、該発光手段の前記固有データが示す点灯パターンに従って点灯させ、前記携帯端末機が通信中であると前記判断手段により判断された場合には、該携帯端末機の識別情報データと対応付けられた固有データに対応する発光手段を、該発光手段の前記固有データが示す点灯パターンとは異なる点灯パターンに従って点灯させることを特徴とする請求項１又は２に記載の個人識別通信システム。
【請求項４】
前記発光手段は、ＬＥＤであり、
前記ＬＥＤは、ヘッドセットに設けられていることを特徴とする請求項１〜３のいずれか１に記載の個人識別通信システム。
【請求項５】
前記選択手段は、ポインティングデバイスであることを特徴とする請求項１〜４のいずれか１に記載の個人識別通信システム。
【請求項６】
前記選択手段は、前記表示手段の前面に設置されたタッチパネルであることを特徴とする請求項１〜４のいずれか１に記載の個人識別通信システム。
【請求項７】
前記携帯端末機は、携帯電話機であり、前記識別情報データは、前記携帯電話機の電話番号を示す電話番号データであることを特徴とする請求項１〜６のいずれか１に記載の個人識別通信システム。
【請求項８】
互いに異なる点灯パターンに従って点灯する複数の発光器と、
カメラと、
前記カメラにより撮像されて得られる画像データに基づく画像を表示することが可能な表示装置と、
前記表示装置により表示された画像のうちの所定の領域を選択するための入力装置と、
携帯端末機への通信先を特定するための互いに異なる複数の識別情報データが、夫々、各前記発光器の点灯パターンを示す固有データと対応付けられて記憶されているメモリと、
前記携帯端末機と通信することが可能な通信装置と、
以下（ａ）〜（ｆ）の処理を実行するようにプログラムされたコントローラと
を備えたことを特徴とする個人識別通信システム。
（ａ）前記カメラによって撮像する処理、
（ｂ）前記処理（ａ）において得られた画像データに基づく画像を前記表示装置に表示する処理、
（ｃ）前記入力装置からの入力に基づいて、前記表示装置により表示された画像のうちの所定の領域を選択する処理、
（ｄ）前記カメラにより撮像されて得られる画像データから、前記発光器の点灯パターンを示す取得点灯パターンデータを取得する処理、
（ｅ）前記処理（ｃ）において選択された領域の画像を示す選択領域画像データから取得された取得点灯パターンデータと、予め前記メモリに記憶された複数の固有データとに基づいて、当該取得点灯パターンデータに対応する固有データを決定する処理、及び、
（ｆ）前記処理（ｅ）において決定された固有データに対応付けられた識別情報データが割り当てられている携帯端末機と前記通信装置を介して通信する処理。
【請求項９】
互いに異なる点灯パターンに従って点灯する複数の発光器と、カメラと、前記カメラにより撮像されて得られる画像データに基づく画像を表示することが可能な表示装置と、前記表示装置により表示された画像のうちの所定の領域を選択するための入力装置と、携帯端末機への通信先を特定するための互いに異なる複数の識別情報データが、夫々、各前記発光器の点灯パターンを示す固有データと対応付けられて記憶されているメモリと、前記携帯端末機と通信することが可能な通信装置とを備えた個人識別通信システムにおいて実行されるプログラムであって、
前記カメラによって撮像する撮像ステップと、
前記カメラによって得られた画像データに基づく画像を前記表示装置に表示する表示ステップと、
前記入力装置からの入力に基づいて、前記表示装置により表示された画像のうちの所定の領域を選択する選択ステップと、
前記カメラにより撮像されて得られる画像データから、前記発光器の点灯パターンを示す取得点灯パターンデータを取得する取得ステップと、
前記入力装置によって選択された領域の画像を示す選択領域画像データから取得された取得点灯パターンデータと、予め前記メモリに記憶された複数の固有データとに基づいて、当該取得点灯パターンデータに対応する固有データを決定する決定ステップと、
前記決定ステップにおいて決定された固有データに対応付けられた識別情報データが割り当てられている携帯端末機と前記通信装置を介して通信する通信ステップと
を備えたことを特徴とするプログラム。
【発明の詳細な説明】
【技術分野】
【０００１】
本発明は、個人識別通信システム及び個人識別通信システムにおいて実行されるプログラムに関する。
【背景技術】
【０００２】
従来から、施設（例えば、遊技場やコンサート会場）の管理者が、施設内を監視カメラで撮像して得られる動画像をモニタを介して視認することにより、施設内に不審な人物がいないかどうかや、施設の従業員の現在位置等を把握するシステムが存在する。このようなシステムは、モニタに表示される人物の顔画像を、管理者が目視によって認識するものであった。そのため、画像が充分に鮮明でない場合や、画像が小さい場合には、目視によって画像中の人物を特定することが困難となることがあった。
【０００３】
このような問題を解決し得る技術として、歩行者等、移動している人物の顔を撮像し、得られた顔画像から当該人物が予め登録されている人物であるか否かを判定する顔認証システムが存在する（例えば、特許文献１参照）。また、画像中の複数の人物の顔のなかから、特定の人物の顔の特徴を抽出する技術が開示されている（例えば、特許文献２〜４参照）。上述したような顔認証システムを用いることにより、動画像中の人物が予め登録された従業員であるか否かや、登録された従業員のうちの誰であるかを、客観的に判断することができる。
【０００４】
一方、撮像された発光体の点灯パターンを認識することで情報を得る技術が開示されている（例えば、特許文献５〜９参照）。このような技術によれば、発光体の点灯を検出することによって位置情報を取得し、点灯パターンを認識することによって発光体の識別情報等、種々の情報を取得することができる。
また、近年では、人物の現在位置等を把握する技術として、ＲＦＩＤ（Ｒａｄｉｏ  Ｆｒｅｑｕｅｎｃｙ  ＩＤｅｎｔｉｆｉｃａｔｉｏｎ）タグと呼ばれるＩＣタグを用いる技術が存在する。この技術によれば、人物が携帯するＲＦＩＤタグからの信号をリーダによって読み取ることで位置情報を得ることができる。
【０００５】
【特許文献１】特開２００６−２３６２４４号公報
【特許文献２】特開２００６−３１８３５２号公報
【特許文献３】特開２００５−１１５８４７号公報
【特許文献４】特開２００５−２１０２９３号公報
【特許文献５】特開２００４−４８５２４号公報
【特許文献６】特開２００３−２５６７８３号公報
【特許文献７】特開２００４−２８９３２４号公報
【特許文献８】特開２００４−３４３５８２号公報
【特許文献９】特開２００３−２５６８７６号公報
【発明の開示】
【発明が解決しようとする課題】
【０００６】
しかしながら、上述したような、顔認証システムを用いる方法においては、撮像される人物がカメラに対して略正面を向いていないと著しく認識率が低下してしまうという問題があった。
また、管理者が動画像中の従業員と連絡を取りたいと考えた場合には、顔認証システムでその従業員が誰であるかを確認した上で、その従業員の携帯電話機の電話番号を調べて電話をかけなければならない。このため、従業員と連絡を取りたいと考えてから、実際にその従業員と連絡が取れるまでにかなりの時間のロスが生じてしまうという問題があった。特に、不審な人物を発見し、直ちに対応しなければならない場合等、緊急の連絡が必要である場合には、この時間のロスによって、例えば、発見した不審者を見失い、必要な対策を講じることできずにセキュリティ上の大きな問題を引き起こすこととなるおそれがあった。管理者が自ら全従業員の電話番号を記憶しておくという方法も考えられるが、従業員数が多くなると、全員分の電話番号を記憶するのは困難である。また、管理者が間違った電話番号を記憶してしまうおそれもある。
また、上述したように、特許文献５〜９の技術によれば、発光体の点灯パターンを認識することによって位置情報や発光体の識別情報等、種々の情報を取得することが可能であるが、これらの技術を用いて、カメラ等で撮像して得られた画像に表示された発光体（発光体を所持する人物）を画面上で指定して特定し、該発光体を所持する人物と通信可能とすることは開示されていない。
また、ＲＦＩＤタグを用いる方法では、ＲＦＩＤタグを所持する人物のおおよその位置を把握することはできるが、モニタカメラ等で撮像して得られた画像中の人物のなかから、ＲＦＩＤタグを所持している人物を識別することはできない。
【０００７】
本発明は、上述した課題に鑑みてなされたものであり、その目的は、撮像して得られる動画像中の人物を容易に識別するとともに、その人物と迅速に連絡を取ることが可能な個人識別通信システム及び個人識別通信システムにおいて実行されるプログラムを提供することにある。
【課題を解決するための手段】
【０００８】
以上のような目的を達成するために、本発明は、以下のようなものを提供する。
（１）  互いに異なる点灯パターンに従って点灯する複数の発光手段と、
撮像手段と、
上記撮像手段により撮像されて得られる画像データに基づく画像を表示することが可能な表示手段と、
上記表示手段により表示された画像のうちの所定の領域を選択するための選択手段と、
携帯端末機への通信先を特定するための互いに異なる複数の識別情報データが、夫々、各上記発光手段の点灯パターンを示す固有データと対応付けられて記憶されている記憶手段と、
上記撮像手段により撮像されて得られる画像データから、上記発光手段の点灯パターンを示す取得点灯パターンデータを取得する取得手段と、
上記選択手段によって選択された領域の画像を示す選択領域画像データから上記取得手段によって取得された取得点灯パターンデータと、予め上記記憶手段に記憶された複数の固有データとに基づいて、当該取得点灯パターンデータに対応する固有データを決定する決定手段と、
上記決定手段により決定された固有データに対応付けられた識別情報データが割り当てられている携帯端末機と通信する通信手段と
を備えたことを特徴とする個人識別通信システム。
【０００９】
（１）の発明によれば、撮像手段（例えば、カメラ）によって得られた画像データに基づく画像を表示手段（例えば、ディスプレイ）に表示し、表示された画像のうち所定の領域が選択手段によって選択されると、その領域の画像を示す選択領域画像データから発光手段（例えば、ＬＥＤ）の点灯パターンを示す取得点灯パターンデータを取得する。そして、取得した取得点灯パターンデータと、記憶手段（例えば、メモリ）に記憶された複数の固有データとに基づいて、当該取得点灯パターンデータに対応する固有データを決定する。
すなわち、撮像された発光手段の点灯パターンを認識することによって該発光手段の固有データを決定する。各発光手段を所持する人物が予め定められている場合には、発光手段を特定する（固有データを決定する）ことができれば、該発光手段を所持する人物も特定することができる。また、発光手段の発する光が人物等によって遮られない限りは、発光手段の点灯パターンを安定して検出することができるため、例えば、発光手段を所持する人物が撮像手段に対して正面を向いていなければならないというような、人物の識別に係る制約を大幅に減らすことができる。従って、画像中の人物を容易に識別することが可能となる。
【００１０】
また取得した取得点灯パターンデータに対応する固有データが決定されると、決定された固有データに対応付けられた識別情報データが割り当てられている携帯端末機との通信を開始する。
すなわち、画像中の発光手段に対応する携帯端末機と通信することができるため、画像中の、連絡を取りたい人物が所持する発光手段を含む領域を選択するだけで、その人物が使用する携帯端末機と通信することができる。従って、発光手段を所持する人物の名前や携帯端末機の番号を記憶したり、その都度調べたりする必要がなく、施設の管理者の手間を省くことができる。また、緊急に連絡を取る必要がある場合であっても、迅速に対応することが可能となる。
【００１１】
さらに、本発明は、以下のようなものを提供する。
（２）  上記（１）の個人識別通信システムであって、
各上記発光手段は、全ての上記発光手段に共通の点灯パターンに従って点灯する位置特定用発光手段と、上記発光手段ごとに異なる点灯パターンに従って点灯する信号伝達用発光手段とから構成されることを特徴とする。
【００１２】
（２）の発明によれば、各発光手段は、全発光手段に共通の点灯パターンに従って点灯する位置特定用発光手段と、発光手段ごとに異なる点灯パターンに従って点灯する信号伝達用発光手段とから構成される。
【００１３】
すなわち、位置特定用発光手段の点灯パターンを認識することによって該発光手段の位置を特定し、信号伝達用発光手段の点灯パターンを認識することによって該発光手段の固有データを決定することができる。
発光手段の位置を特定する場合、撮像して得られた画像中に、該発光手段が存在することを検出しなければならない。
（２）の発明では、全発光手段に共通の点灯パターン（例えば、共通の周期で点灯及び消灯を交互に繰り返すパターン）に従って点灯する位置特定用発光手段が設けられているため、一定期間（例えば、点灯及び消灯を繰り返す共通の周期に相当する期間）の動画像から、発光手段が存在するか否かを判断することができる。従って、一定期間の動画像から全部の発光手段の位置を検出することができる。
また、位置特定用発光手段を発光手段の位置の特定に用いるため、信号伝達用発光手段の点灯パターンを定める際の制約（例えば、点灯及び消灯を繰り返す周期を、位置の特定を容易にするために、所定期間以下にしなければならないという制約）を少なくすることができる。従って、固有データが示す点灯パターンのバリエーションを増加させることができる。
【００１４】
さらに、本発明は、以下のようなものを提供する。
（３）  上記（１）又は（２）の個人識別通信システムであって、
各上記発光手段の点灯を制御する制御手段と、
上記携帯端末機が通信中であるか否かを判断する判断手段とを備え、
上記制御手段は、上記携帯端末機が通信中でないと上記判断手段により判断された場合には、該携帯端末機の識別情報データと対応付けられた固有データに対応する発光手段を、該発光手段の上記固有データが示す点灯パターンに従って点灯させ、上記携帯端末機が通信中であると上記判断手段により判断された場合には、該携帯端末機の識別情報データと対応付けられた固有データに対応する発光手段を、該発光手段の上記固有データが示す点灯パターンとは異なる点灯パターンに従って点灯させることを特徴とする。
【００１５】
（３）の発明によれば、携帯端末機が通信中である場合には、対応する発光手段の点灯パターンを、携帯端末機が通信中でない場合の点灯パターンと異ならせる。
従って、発光手段を所持する人物が使用する携帯端末機と通信する場合に、点灯パターンの違いを目視によって確認することにより、画像中のどの人物と通信しているかを確認するができる。
また、通信している人物の現在位置を動画像で確認しながら、その人物に対して進むべき方向等を指示することが可能となる。
【００１６】
さらに、本発明は、以下のようなものを提供する。
（４）  上記（１）〜（３）のいずれか１の個人識別通信システムであって、
上記発光手段は、ＬＥＤであり、
上記ＬＥＤは、ヘッドセットに設けられていることを特徴とする。
【００１７】
（４）の発明によれば、撮像して得られる動画像から予め登録された人物が装着するヘッドセットに設けられているＬＥＤの点灯パターンを認識することによって、当該人物を特定することができる。
また、ヘッドセットを頭部に装着し、さらに、携帯端末機への音声の入力を、ヘッドセットが備えるマイクロフォンから行うとともに、携帯端末機からの音声の出力を、該ヘッドセットが備えるスピーカから行うことにより、当該人物は、両手を自由に使うことができる。
【００１８】
さらに、本発明は、以下のようなものを提供する。
（５）  上記（１）〜（４）のいずれか１の個人識別通信システムであって、
上記選択手段は、ポインティングデバイスであることを特徴とする。
【００１９】
（５）の発明によれば、ポインティングデバイス（例えば、コンピュータシステムにおけるマウス）によって、動画像中の領域の選択を行う。従って、画面上での現在位置を示す記号（例えば、カーソル）を移動させて、選択する領域を直感的に容易に指定することができる。
【００２０】
さらに、本発明は、以下のようなものを提供する。
（６）  上記（１）〜（４）のいずれか１の個人識別通信システムであって、
上記選択手段は、上記表示手段の前面に設置されたタッチパネルであることを特徴とする。
【００２１】
（６）の発明によれば、タッチパネルによって、動画像中の領域の選択を行う。従って、動画像中の選択したい領域に対応するタッチパネル上の所定箇所に触れることで、選択する領域を直感的に容易に指定することができる。
【００２２】
さらに、本発明は、以下のようなものを提供する。
（７）  上記（１）〜（６）のいずれか１の個人識別通信システムであって、
上記携帯端末機は、携帯電話機であり、上記識別情報データは、上記携帯電話機の電話番号を示す電話番号データであることを特徴とする。
【００２３】
（７）の発明によれば、選択された動画像中の領域にある画像データから取得した取得点灯パターンデータに対応する固有データが決定されると、決定された固有データに対応付けられた電話番号が割り当てられている携帯電話機との通信を開始する。従って、連絡を取りたい動画像中の人物と、携帯電話機によって通信することが可能となる。
【００２４】
さらに、本発明は、以下のようなものを提供する。
（８）  互いに異なる点灯パターンに従って点灯する複数の発光器と、
カメラと、
上記カメラにより撮像されて得られる画像データに基づく画像を表示することが可能な表示装置と、
上記表示装置により表示された画像のうちの所定の領域を選択するための入力装置と、
携帯端末機への通信先を特定するための互いに異なる複数の識別情報データが、夫々、各上記発光器の点灯パターンを示す固有データと対応付けられて記憶されているメモリと、
上記携帯端末機と通信することが可能な通信装置と、
以下（ａ）〜（ｆ）の処理を実行するようにプログラムされたコントローラと
を備えたことを特徴とする個人識別通信システム。
（ａ）上記カメラによって撮像する処理、
（ｂ）上記処理（ａ）において得られた画像データに基づく画像を上記表示装置に表示する処理、
（ｃ）上記入力装置からの入力に基づいて、上記表示装置により表示された画像のうちの所定の領域を選択する処理、
（ｄ）上記カメラにより撮像されて得られる画像データから、上記発光器の点灯パターンを示す取得点灯パターンデータを取得する処理、
（ｅ）上記処理（ｃ）において選択された領域の画像を示す選択領域画像データから取得された取得点灯パターンデータと、予め上記メモリに記憶された複数の固有データとに基づいて、当該取得点灯パターンデータに対応する固有データを決定する処理、及び、
（ｆ）上記処理（ｅ）において決定された固有データに対応付けられた識別情報データが割り当てられている携帯端末機と上記通信装置を介して通信する処理。
【００２５】
（８）の発明によれば、カメラによって得られた画像データに基づく画像を表示装置（例えば、ディスプレイ）に表示し、表示された画像のうち所定の領域が入力装置（例えば、コンピュータシステムにおけるマウス）によって選択されると、その領域の画像を示す選択領域画像データから取得された取得点灯パターンデータと、予め上記メモリに記憶された複数の固有データとに基づいて、当該取得点灯パターンデータに対応する固有データを決定する。
すなわち、撮像された発光器の点灯パターンを認識することによって該発光器の固有データを決定する。各発光器を所持する人物が予め定められている場合には、発光器を特定する（固有データを決定する）ことができれば、該発光器を所持する人物も特定することができる。また、発光器の発する光が人物等によって遮られない限りは、発光器の点灯パターンを安定して検出することができるため、例えば、発光器を所持する人物がカメラに対して正面を向いていなければならないというような、人物の識別に係る制約を大幅に減らすことができる。従って、画像中の人物を容易に識別することが可能となる。
【００２６】
また、取得点灯パターンデータに対応する固有データが決定されると、決定された固有データに対応付けられた識別情報データが割り当てられている携帯端末機と通信装置を介して通信する。
すなわち、画像中の発光器に対応する携帯端末機と通信することができるため、画像中の、連絡を取りたい人物が所持する発光器を含む領域を選択するだけで、その人物が使用する携帯端末機と通信することができる。従って、発光器を所持する人物の名前や携帯端末機の番号を記憶したり、その都度調べたりする必要がなく、施設の管理者の手間を省くことができる。また、緊急に連絡を取る必要がある場合であっても、迅速に対応することが可能となる。
【００２７】
さらに、本発明は、以下のようなものを提供する。
（９）  互いに異なる点灯パターンに従って点灯する複数の発光器と、カメラと、上記カメラにより撮像されて得られる画像データに基づく画像を表示することが可能な表示装置と、上記表示装置により表示された画像のうちの所定の領域を選択するための入力装置と、携帯端末機への通信先を特定するための互いに異なる複数の識別情報データが、夫々、各上記発光器の点灯パターンを示す固有データと対応付けられて記憶されているメモリと、上記携帯端末機と通信することが可能な通信装置とを備えた個人識別通信システムにおいて実行されるプログラムであって、
上記カメラによって撮像する撮像ステップと、
上記カメラによって得られた画像データに基づく画像を上記表示装置に表示する表示ステップと、
上記入力装置からの入力に基づいて、上記表示装置により表示された画像のうちの所定の領域を選択する選択ステップと、
上記カメラにより撮像されて得られる画像データから、上記発光器の点灯パターンを示す取得点灯パターンデータを取得する取得ステップと、
上記入力装置によって選択された領域の画像を示す選択領域画像データから取得された取得点灯パターンデータと、予め上記メモリに記憶された複数の固有データとに基づいて、当該取得点灯パターンデータに対応する固有データを決定する決定ステップと、
上記決定ステップにおいて決定された固有データに対応付けられた識別情報データが割り当てられている携帯端末機と上記通信装置を介して通信する通信ステップと
を備えたことを特徴とするプログラム。
【００２８】
（９）の発明によれば、カメラによって得られた画像データに基づく画像を表示装置（例えば、ディスプレイ）に表示し、表示された画像のうち所定の領域が入力装置（例えば、コンピュータシステムにおけるマウス）によって選択されると、その領域の画像を示す選択領域画像データから取得された取得点灯パターンデータと、予め上記メモリに記憶された複数の固有データとに基づいて、当該取得点灯パターンデータに対応する固有データを決定する。
すなわち、撮像された発光器の点灯パターンを認識することによって該発光器の固有データを決定する。各発光器を所持する人物が予め定められている場合には、発光器を特定する（固有データを決定する）ことができれば、該発光器を所持する人物も特定することができる。また、発光器の発する光が人物等によって遮られない限りは、発光器の点灯パターンを安定して検出することができるため、例えば、発光器を所持する人物がカメラに対して正面を向いていなければならないというような、人物の識別に係る制約を大幅に減らすことができる。従って、画像中の人物を容易に識別することが可能となる。
【００２９】
また、取得点灯パターンデータに対応する固有データが決定されると、決定された固有データに対応付けられた識別情報データが割り当てられている携帯端末機と通信装置を介して通信する。
すなわち、画像中の発光器に対応する携帯端末機と通信することができるため、画像中の、連絡を取りたい人物が所持する発光器を含む領域を選択するだけで、その人物が使用する携帯端末機と通信することができる。従って、発光器を所持する人物の名前や携帯端末機の番号を記憶したり、その都度調べたりする必要がなく、施設の管理者の手間を省くことができる。また、緊急に連絡を取る必要がある場合であっても、迅速に対応することが可能となる。
【発明の効果】
【００３０】
本発明によれば、撮像して得られる動画像中の人物を容易に識別するとともに、その人物と迅速に連絡を取ることができる。
【発明を実施するための最良の形態】
【００３１】
本発明の個人識別通信システムについて、図面に基づいて説明する。
図１は、本発明の一実施形態に係る個人識別通信システムの全体構成を示す概略図である。
【００３２】
図１に示すように、個人識別通信システム１は、コンピュータ１０と、コンピュータ１０とデータの送受信が可能となるように接続された電話機２０と、施設内に設置されたカメラ４０と、人物６０が所持する携帯電話機５０と、携帯電話機５０とデータの送受信が可能なように接続されたヘッドセット７０とを備えている。
【００３３】
ヘッドセット７０は、ＬＥＤ７５（図２参照）を備えており、ＬＥＤ７５は、ヘッドセット７０ごとに予め定められた固有の点灯パターンに従って点灯する。
ヘッドセット７０は、携帯電話機５０と接続されており、人物６０は、ヘッドセット７０を使用して携帯電話機５０による通話を行うことができる。
【００３４】
カメラ４０は、施設内の所定箇所に設置されており、施設内にいる人物等を撮像する。カメラ４０は、ズーム機能を備えるとともに、上下方向及び左右方向に夫々１００度の範囲で可動である。カメラ４０は、本発明における撮像手段に相当する。カメラ４０によって撮像されて得られた画像データは、カメラ４０が備える無線通信部４０５（図６参照）を介してコンピュータ１０に送信される。
なお、本実施形態では、カメラ４０によって得られる画像は、動画像である。
また、本発明において、撮像手段が設置される施設は特に限定されず、例えば、パチンコ店等の遊技施設であってもよく、コンサート会場であってもよく、デパートやオフィスビルであってもよい。
さらに、本実施形態では、カメラ４０を施設内に設置する場合について説明するが、本発明において、撮像手段を設置する場所は施設内に限定されない。例えば、市街地等の屋外に撮像手段を設置して、特定のエリアを監視するように構成してもよい。
【００３５】
コンピュータ１０は、カメラ４０から受信した画像データに基づく画像を、ディスプレイ１０７（図４参照）に表示する。得られた動画像のなかから、マウス１１０（図４参照）からの入力によって領域の選択が行われると、コンピュータ１０はカメラ４０に対してズームを指示する信号を送信する。カメラ４０は、選択された領域に対応する施設内の箇所を拡大して撮像する。コンピュータ１０は、ズームを行って得られた画像から点灯しているＬＥＤ７５の画像を検出し、当該ＬＥＤ７５の点灯パターンの認証を行い、当該ＬＥＤ７５を備えるヘッドセット７０を装着している人物を特定する。そして、電話機２０に対して、当該ヘッドセット７０を装着する人物が所持する携帯電話機５０にダイヤルする指示を示す指示信号を送信する。
【００３６】
コンピュータ１０からの指示信号を受信すると、電話機２０は、当該人物の携帯電話機５０にダイヤルし、通信を開始する。電話機２０は、本発明における通信手段に相当する。
コンピュータ１０のディスプレイ１０７に表示される画像を視認して監視している施設の管理者は、電話機２０の送受話部２０６（図５参照）を介して当該人物と通話することができる。
【００３７】
図２は、図１に示したヘッドセットを模式的に示す斜視図である。
図２に示すように、ヘッドセット７０は、ヘッドバンド７１、イヤパッド７２、アーム７３、マイクロフォン７４、及び、ＬＥＤ７５から基本的に構成されている。
【００３８】
２つのイヤパッド７２は、ヘッドバンド７１によって互いに接続されるとともに、夫々内部にスピーカ７０７（図３参照）を備えており、音声を出力することができる。ヘッドセット７０を装着する際には、各イヤパッド７２が各耳を覆うようにする。
マイクロフォン７４は、アーム７３を介してイヤパッド７２に接続されている。ヘッドセット７０を装着する人物は、マイクロフォン７４から音声を入力することができる。
【００３９】
ＬＥＤ７５は、赤色ＬＥＤ（可視光ＬＥＤ）であり、各イヤパッド７２に３つずつ備えられている。ＬＥＤ７５は、本発明における発光手段に相当する。
３つのＬＥＤ７５のうち、両端の２つ（７５ａとする）は、１／３０秒ごとに点灯と消灯とを交互に繰り返すように制御されており、カメラ４０によって得られる動画像中の現在位置を認識するために用いられる。ＬＥＤ７５ａの点灯パターンは、登録されている人物が装着する全てのヘッドセット７０に共通である。ＬＥＤ７５ａは、本発明における位置特定用発光手段に相当する。
なお、本発明において、位置特定用発光手段は、常時点灯させておくこととしてもよい。
２つのＬＥＤ７５ａの間にある１つのＬＥＤ７５（７５ｂとする）は、ヘッドセット７０及び該ヘッドセット７０を装着する人物を特定するために用いられ、各ヘッドセット７０に固有の点灯パターンに従って点灯する。ＬＥＤ７５ｂは、本発明における信号伝達用発光手段に相当する。
【００４０】
図３は、ヘッドセットの内部構成を示すブロック図である。
ヘッドセット７０は、制御を司る制御部７００を備えている。制御部７００は、ＣＰＵ７０１と、各種データを記憶するメモリとから構成されている。
【００４１】
ＣＰＵ７０１には、無線通信部７０３、接続端子７０４、音声検出器７０５、音声再生器７０６、発光制御回路７０８及びバッテリー７０９が接続されている。
【００４２】
無線通信部７０３は、携帯電話機５０を介さずに他のヘッドセット７０と通信する場合に用いられる。
【００４３】
接続端子７０４には携帯電話機５０が接続されており、ヘッドセット７０と携帯電話機５０との間で音声データ等のデータの送受信を行うことが可能である。音声検出器７０５は、マイクロフォン７４から入力された音声を検出し、デジタル信号に変換する。音声再生器７０６は、音声データをアナログ信号に変換し、スピーカ７０７から出力する。従って、マイクロフォン７４から入力した音声を示す音声データを、接続端子７０４を介して携帯電話機５０に送信するとともに、携帯電話機５０から受信した音声データをスピーカ７０７から出力することができる。すなわち、携帯電話機５０を介して電話機２０や他の携帯電話機５０と通信することができる。
【００４４】
発光制御回路７０８は、ＣＰＵ７０１からの指示に基づいて、ＬＥＤ７５の点灯の制御を行う。発光制御回路７０８は、本発明における制御手段に相当する。
【００４５】
図４は、図１に示したコンピュータの内部構成を示すブロック図である。
図４に示すように、コンピュータ１０は、ＣＰＵ１０１を備えており、ＣＰＵ１０１には、ＲＯＭ１０２、ＲＡＭ１０３、ＨＤＤ（ハードディスクドライブ）１０４、無線通信部１０５、画像処理回路１０６、入力信号回路１０８、及び、通信インターフェイス１１１が接続されている。
【００４６】
ＲＯＭ１０２には、コンピュータ１０の制御上必要な処理を行うための各種プログラムや、データテーブル等が格納されている。ＲＡＭ４２は、ＣＰＵ１０１で演算された各種データを一時的に記憶しておくメモリであり、ＨＤＤ１０４には、ＬＥＤ７５の点灯パターンの認証の際に参照する固有データテーブルが記憶されている。固有データテーブルについては、後で図８を用いて詳述する。ＨＤＤ１０４は、本発明における記憶手段に相当する。
【００４７】
無線通信部１０５は、カメラ４０とデータの送受信を行うためのものである。画像処理回路１０６には、ディスプレイ１０７が接続されており、無線通信部１０５を介してカメラ４０から受信した画像データに基づく画像を表示する。ディスプレイ１０７は、本発明における表示手段に相当する。また、入力信号回路１０８には、キーボード１０９及びマウス１１０が接続されている。キーボード１０９又はマウス１１０を操作することにより、各種指示を入力することができる。マウス１１０は、本発明における選択手段に相当する。
【００４８】
通信インターフェイス１１１には、電話機２０が接続されている。コンピュータ１０は、通信インターフェイス１１１を介して、電話機２０に指示信号を送信することができる。
【００４９】
図５は、図１に示した電話機の内部構成を示すブロック図である。
本実施形態に係る電話機２０は、コンピュータ１０と通信回線を介して接続することが可能であり、該通信回線を介してコンピュータ１０からダイヤルを指示する信号とダイヤル先の電話番号データとを受信すると、当該信号と電話番号データとに基づいてダイヤルを開始するように構成されている。
【００５０】
図５に示すように、電話機２０は、ＣＰＵ２０１を備えており、通信インターフェイス２０７を介してコンピュータ１０と接続されている。
また、ＣＰＵ２０１には、ＲＯＭ２０４、ＲＡＭ２０５、通話を行うための送受話部２０６、各種表示を行うための表示部２０２、及び、手動で電話番号等の入力を行う際に用いる入力部２０３が接続されている。
【００５１】
図６は、図１に示したカメラの内部構成を示すブロック図である。
図６に示すように、カメラ４０が備えるＣＰＵ４０１には、ＲＯＭ４０２、ＲＡＭ４０３、撮像部４０４、及び、無線通信部４０５が接続されている。
【００５２】
撮像部４０４は、レンズやＣＣＤ（Ｃｈａｒｇｅ  Ｃｏｕｐｌｅｄ  Ｄｅｖｉｃｅ）等を備えており、画像を生成する。また、撮像部４０４は輝度データ抽出部を備えており、撮像されて得られた画像データから、各色についての輝度に関するデータを抽出する。
無線通信部４０５は、コンピュータ１０とデータの送受信を行うためのものであり、ＣＰＵ４０１は、撮像部４０４で生成された画像を示す画像データを、無線通信部４０５を介してコンピュータ１０に送信する。
なお、カメラ４０の伝送フレーム数は、毎秒３０フレームである。
【００５３】
図７は、図１に示した携帯電話機の内部構成を示すブロック図である。
携帯電話機５０は、操作部３０４、液晶パネル３０６、無線部３１０、音声回路３１２、スピーカ３１４、マイク３１６、送受信アンテナ３１８、不揮発性メモリ３２０、マイクロコンピュータ３２２、二次電池３２４及び接続端子３３０を備えている。
【００５４】
無線部３１０は、マイクロコンピュータ３２２により制御されて、送受信アンテナ３１８を通じて電波を媒体として基地局に対して送受信する。音声回路３１２は、無線部３１０からマイクロコンピュータ３２２を通じて出力された受信信号をスピーカ３１４に出力するとともに、マイク３１６から出力された音声信号を送信信号としてマイクロコンピュータ３２２を通じて無線部３１０に出力する。
【００５５】
スピーカ３１４は、音声回路３１２から出力された受信信号を受信音声に変換して出力し、マイク３１６は、操作者から発せられた送信音声を音声信号に変換して音声回路３１２に出力する。
【００５６】
不揮発性メモリ３２０は、例えば、待受画像用の画像データ、着メロ用の音楽データ等の各種データや各種プログラムを不揮発的に記憶する。
二次電池３２４は、各回路に電力を供給する。マイクロコンピュータ３２２は、ＣＰＵ、ＲＯＭ及びＲＡＭから構成されたもので、例えば、電話の発着信処理、電子メールの作成送受信処理、インターネット処理等を行う。
【００５７】
接続端子３３０には、ヘッドセット７０が接続されており、ヘッドセット７０と携帯電話機５０との間で音声データ等のデータの送受信を行うことが可能である。マイクロコンピュータ３２２は、携帯電話機５０が通信中である場合には、その旨を通知する通信確認信号を、所定の周期で接続端子３３０を介してヘッドセット７０に対して送信する。
携帯電話機５０は、本発明における携帯端末機に相当する。
【００５８】
次に、個人識別通信システム１において撮像された人物のヘッドセット７０が備えるＬＥＤ７５の点灯パターンの認証を行う際に参照される固有データテーブルについて説明する。固有データテーブルは、コンピュータ１０のＨＤＤ１０４に格納されているデータテーブルである。
図８は、固有データテーブルの一例を示す図である。
【００５９】
固有データテーブルにおいては、登録されている複数の人物（施設の従業員）の名前と、各人物が装着するヘッドセット７０が備えるＬＥＤ７５の点灯パターンを示す固有データと、各人物が所持する携帯電話機５０の識別情報データ（電話番号データ）とが夫々対応付けられている。
例えば、図８に示す固有データテーブルでは、Ａという名前の人物の固有データはＡ′であり、携帯電話機５０の識別情報データはＡ′′である。
固有データは、現在位置の認識に用いるＬＥＤ７５ａの点灯パターン（１／３０秒ごとに点灯と消灯とを交互に繰り返す点灯パターン）を示すデータと、ヘッドセット７０及び該ヘッドセット７０を装着する人物の特定に用いるＬＥＤ７５ｂの点灯パターン（例えば、１／１０秒の点灯と１／５秒の消灯とを交互に繰り返す点灯パターン）を示すデータとから構成される。
【００６０】
次に、個人識別通信システム１において行われるＬＥＤ７５の点灯パターンの認証の流れを、図９〜１１に基づいて説明する。
図９〜１１は、コンピュータが備えるディスプレイに表示される画像の一例を示す図である。
【００６１】
図９は、画像中の人物が装着するヘッドセット７０のＬＥＤ７５の画像を含む領域が選択された場合にディスプレイ１０７に表示される画像の一例を示している。
図９に示すように、ヘッドセット７０を示す画像のうちの、ＬＥＤ７５を示す画像の近傍が、マウス１１０を用いてカーソル１５０によって選択されている。図中の破線円１６０は、マウス１１０によってクリックが行われた場合に、カーソル１５０の位置を中心として表示される半径８０ピクセルの円であり、この破線円１６０によって囲まれた部分が、選択された領域（以下、選択領域ともいう）を示している。選択領域を示す画像データは、本発明における選択領域画像データに相当する。
なお、本発明においては、例えば、選択を行う人物が、ドラッグ・アンド・ドロップによって選択範囲を任意に指定することができるように構成してもよい。
【００６２】
図１０は、ＬＥＤ７５の点灯パターン認証時にディスプレイ１０７に表示される画像の一例を示している。
マウス１１０によって領域が選択されると、カメラ４０に対してズームを指示する信号を送信する。カメラ４０は、選択された領域に対応する施設内の箇所を拡大して撮像する。コンピュータ１０は、ズームを行って得られた画像から点灯しているＬＥＤ７５の画像を検出する。具体的には、ＬＥＤ７５の発光時の色である赤色及びその近似色の画素が一定数以上連続している領域を判定し、該領域の輝度が閾値を超えている場合に、該領域の画像を点灯しているＬＥＤ７５の画像であると認識する。
点灯しているＬＥＤ７５の画像が検出されると、選択領域画像データから、ＬＥＤ７５の点灯パターンを示す取得点灯パターンデータを取得する。
そして、ＨＤＤ１０４に格納されている固有データテーブルを参照し、取得した取得点灯パターンデータと一致する固有データを決定する。
上記の処理を実行するとき、図１０に示すように、ディスプレイ１０７には、点灯パターンの認証を行っていることを示す「認証しています」という認証時画像１７０が表示される。
【００６３】
図１１は、取得点灯パターンデータに対応する固有データが決定された場合に、ディスプレイ１０７に表示される画像の一例を示している。
固有データが決定されると、コンピュータ１０は、固有データテーブルにおける対応関係に従って、決定された固有データに対応する識別情報データが割り当てられた携帯電話機５０にダイヤルする旨の指示を示す指示信号を、電話機２０に対して送信する。すなわち、決定された固有データに対応する人物が使用する携帯電話機５０にダイヤルする旨の指示を示す指示信号を、電話機２０に対して送信する。
図１１は、取得点灯パターンデータに対応する固有データがＡ′（図８参照）であると決定された場合にディスプレイ１０７に表示される画像を示している。図８に示すように、固有データＡ′に対応する人物はＡであり、ディスプレイ１０７には、図１１に示すように、人物Ａにダイヤルする旨を示す認証結果画像１８０が表示される。
固有データＡ′に対応する携帯電話機５０の識別情報データはＡ′′であるから、コンピュータ１０は、識別情報データＡ′′に基づいて、人物Ａが使用する携帯電話機５０にダイヤルするように、電話機２０に対して指示信号を送信する。
ディスプレイ１０７を視認する人物は、電話機２０の送受話部２０６を介して、人物Ａと通話することが可能となる。
【００６４】
次に、コンピュータ１０において実行される処理について説明する。
図１２は、コンピュータにおいて実行される個人識別通信実行処理のサブルーチンを示すフローチャートである。
【００６５】
まず、コンピュータ１０が備えるＣＰＵ１０１は、カメラ４０によって撮像されて得られた画像データを、無線通信部１０５を介して受信し、受信した画像データに基づく画像をディスプレイ１０７に表示する（ステップＳ１０１）。
【００６６】
次に、ステップＳ１０２において、ＣＰＵ１０１は、マウス１１０によって画像上の領域が選択された（クリックされた）ことを示す選択領域入力信号を、入力信号回路１０８から受信したか否かを判断する。
選択領域入力信号を受信していないと判断した場合、処理をステップＳ１０１に戻す。
【００６７】
一方、選択領域入力信号を受信したと判断した場合、ＣＰＵ１０１は、ステップＳ１０３において、選択領域を示す破線円１６０を、ディスプレイ１０７に表示する（図９参照）。
【００６８】
次に、ステップＳ１０４において、ＣＰＵ１０１は、認証時画像１７０をディスプレイ１０７に表示する（図１０参照）。
【００６９】
次に、ＣＰＵ１０１は、カメラ４０に対してズームを行うように指示する信号を送信する。
カメラ４０は、当該信号を受信すると、上述した可動範囲内で撮像する角度を調整した上で、選択領域（破線円１６０によって囲まれた部分）に対応する施設内の箇所を拡大して撮像する。
ＣＰＵ１０１は、ズームを行って得られた画像から、点灯しているＬＥＤ７５の画像を検出する（ステップＳ１０５）。
ステップＳ１０５の処理において、ＣＰＵ１０１は、現在位置を示すＬＥＤ７５ａの点灯を検出する。上述したように、ＬＥＤ７５ａは１／３０秒ごとに点灯と消灯とを交互に繰り返すので、最低１／１５秒間分の画像、すなわち、最低２フレーム分の画像について点灯の有無を調べる。具体的には、まず、ＬＥＤ７５の発光時の色である赤色及びその近似色の画素が一定数以上連続している領域を判定する。次に、カメラ４０によって得られた輝度データに基づいて該領域の輝度を求める。そして輝度が閾値を超えている場合に、該領域の画像を点灯しているＬＥＤ７５の画像であると認識する。
【００７０】
次に、ＣＰＵ１０１は、ステップＳ１０５において検出されたＬＥＤ７５の画像を含む選択領域の一定時間分の画像をステップＳ１０５の処理と同様にして分析し、ヘッドセット７０及びそのヘッドセット７０を装着する人物の特定に用いるＬＥＤ７５ｂの点灯パターンを含む取得点灯パターンデータを取得する（ステップＳ１０６）。
ステップＳ１０６の処理を実行するとき、ＣＰＵ１０１は、本発明における取得手段として機能する。
【００７１】
次に、ステップＳ１０７において、ＣＰＵ１０１は、ステップＳ１０６において取得した取得点灯パターンデータと、ＨＤＤ１０４に格納されている固有データテーブルに含まれる固有データとを比較する。具体的には、取得点灯パターンデータが示す点灯パターンが、固有データが示す点灯パターンと一致するか否かを判断する。ステップＳ１０７の処理を実行するとき、ＣＰＵ１０１は、本発明における決定手段として機能する。
【００７２】
次に、ステップＳ１０８において、ＣＰＵ１０１は、取得点灯パターンデータに対応する固有データが存在するか否かを判断する。すなわち、取得点灯パターンデータと一致する固有データが存在するか否かを判断する。
取得点灯パターンデータに対応する固有データが存在しないと判断した場合には、「指定された人物は、登録されている人物ではありません」というエラー画像を、ディスプレイ１０７に表示する（ステップＳ１１１）。
【００７３】
一方、取得点灯パターンデータに対応する固有データが存在すると判断した場合、ＣＰＵ１０１は、ステップＳ１０９において、認証結果画像１８０を、ディスプレイ１０７に表示する（図１１参照）。
【００７４】
次に、ステップＳ１１０において、ＣＰＵ１０１は、取得点灯パターンデータと予め定められた誤差範囲で一致すると判断された固有データに対応する識別情報データ（電話番号データ）と、該識別情報データが割り当てられた携帯電話機５０（該固有データに対応する人物が所持する携帯電話機５０）にダイヤルする旨の指示を示す指示信号とを、電話機２０に対して送信する。
電話機２０は、該電話番号データ及び指示信号を受信すると、該電話番号データに基づく電話番号を認識する。そして、受話器（送受話部２０６）が取られたこと又は入力部２０３からハンズフリー機能を選択する入力が行われたことを検出すると、認識した電話番号にダイヤルする。
【００７５】
ステップＳ１１０又はステップＳ１１１の処理を実行した後、本サブルーチンを終了する。
【００７６】
本実施形態では、ヘッドセット７０が携帯電話機５０を介して通信中である場合には、該ヘッドセット７０が備えるＬＥＤ７５は、該ヘッドセット７０に対応する固有データが示す点灯パターンとは異なる点灯パターンに従って点灯する。
以下では、ヘッドセット７０の制御部７００において行われる点灯パターン変更処理について説明する。
図１３は、ヘッドセットの制御部において行われる点灯パターン変更処理のサブルーチンを示すフローチャートである。点灯パターン変更処理は、ヘッドセット７０の制御部７００において所定の時間間隔で実行される。
【００７７】
まず、ステップＳ２０１において、ヘッドセット７０の制御部７００が備えるＣＰＵ７０１は、携帯電話機５０が通信中であるか否かを判断する。すなわち、携帯電話機５０が備えるマイクロコンピュータ３２２から、該携帯電話機５０が通信中であることを通知する通信確認信号を受信したか否かを判断する。ステップＳ２０１の処理を実行するとき、ＣＰＵ７０１は、本発明における判断手段として機能する。
携帯電話機５０が通信中ではないと判断した場合、本サブルーチンを終了する。
【００７８】
一方、携帯電話機５０が通信中であると判断した場合、ＣＰＵ７０１は、ＬＥＤ７５の点灯パターンを変更する指示を示す点灯パターン変更信号を、発光制御回路７０８（図３参照）に対して送信する。発光制御回路７０８は、点灯パターン変更信号を受信すると、ＬＥＤ７５ｂの点灯パターンを、通信中であることを示す通信時点灯パターンに変更する。通信時点灯パターンは、固有データが示すＬＥＤ７５ｂの点灯パターンとは異なる点灯パターンであり、ヘッドセット７０ごとに異なっている。
【００７９】
次に、ステップＳ２０３において、ＣＰＵ７０１は、携帯電話機５０の通信が終了したか否かを判断する。すなわち、携帯電話機５０からの通信確認信号が受信されなくなったか否かを判断する。
携帯電話機５０の通信が終了していないと判断した場合、処理をステップＳ２０３に戻す。
【００８０】
一方、携帯電話機５０の通信が終了したと判断した場合、ステップＳ２０４において、ＣＰＵ７０１は、ＬＥＤ７５の点灯パターンをもとに戻す、すなわち、固有データが示す点灯パターンに戻す指示を示す点灯パターン復元信号を、発光制御回路７０８に対して送信する。発光制御回路７０８は、点灯パターン復元信号を受信すると、ＬＥＤ７５ｂの点灯パターンを、固有データが示すＬＥＤ７５ｂ点灯パターンに変更する。
ステップＳ２０４の処理を実行した後、本サブルーチンを終了する。
【００８１】
以上、本実施形態に係る個人識別通信システム１は、互いに異なる点灯パターンに従って点灯する複数のＬＥＤ７５（発光手段）と、カメラ４０（撮像手段）と、上記カメラ４０により撮像されて得られる画像データに基づく画像を表示することが可能なディスプレイ１０７（表示手段）と、上記ディスプレイ１０７により表示された画像のうちの所定の領域を選択するためのマウス１１０（選択手段）と、携帯電話機５０（携帯端末機）への通信先を特定するための互いに異なる複数の識別情報データが、夫々、各上記ＬＥＤ７５の点灯パターンを示す固有データと対応付けられて記憶されているＨＤＤ１０４（記憶手段）と、上記カメラ４０により撮像されて得られる画像データから、上記ＬＥＤ７５の点灯パターンを示す取得点灯パターンデータを取得し、上記マウス１１０によって選択された領域の画像を示す選択領域画像データから取得された取得点灯パターンデータと、予め上記ＨＤＤ１０４に記憶された複数の固有データとに基づいて、当該取得点灯パターンデータに対応する固有データを決定するＣＰＵ１０１と、決定された固有データに対応付けられた識別情報データが割り当てられている携帯電話機５０と通信する電話機２０とを備える。
【００８２】
個人識別通信システム１によれば、カメラ４０によって得られた画像データに基づく画像をディスプレイ１０７に表示し、表示された画像のうち所定の領域がマウス１１０によって選択されると、その領域の画像を示す選択領域画像データからＬＥＤ７５の点灯パターンを示す取得点灯パターンデータを取得する。そして、取得した取得点灯パターンデータと、ＨＤＤ１０４に記憶された複数の固有データとに基づいて、当該取得点灯パターンデータに対応する固有データを決定する。
すなわち、撮像されたＬＥＤ７５の点灯パターンを認識することによって該ＬＥＤ７５の固有データを決定する。各ＬＥＤ７５を所持する人物が予め定められている場合には、ＬＥＤ７５を特定する（固有データを決定する）ことができれば、該ＬＥＤ７５を所持する人物も特定することができる。また、ＬＥＤ７５の発する光が人物等によって遮られない限りは、ＬＥＤ７５の点灯パターンを安定して検出することができるため、例えば、ＬＥＤ７５を所持する人物が撮像手段に対して正面を向いていなければならないというような、人物の識別に係る制約を大幅に減らすことができる。従って、画像中の人物を容易に識別することが可能となる。
【００８３】
また取得した取得点灯パターンデータに対応する固有データが決定されると、決定された固有データに対応付けられた識別情報データが割り当てられている携帯電話機５０との通信を開始する。
すなわち、画像中のＬＥＤ７５に対応する携帯電話機５０と通信することができるため、画像中の、連絡を取りたい人物が所持するＬＥＤ７５を含む領域を選択するだけで、その人物が使用する携帯電話機５０と通信することができる。従って、ＬＥＤ７５を所持する人物の名前や携帯電話機５０の番号を記憶したり、その都度調べたりする必要がなく、施設の管理者の手間を省くことができる。また、緊急に連絡を取る必要がある場合であっても、迅速に対応することが可能となる。
【００８４】
本実施形態では、発光手段として赤色ＬＥＤ（可視光ＬＥＤ）を用いる場合について説明した。しかし本発明における発光手段は、可視光ＬＥＤに限定されず、例えば、赤外線ＬＥＤを用いることとしてもよい。この場合、撮像手段として赤外線カメラを用いればよい。また、例えば、発光手段としてハロゲン電球等のランプを用いることとしてもよい。
【００８５】
また、本実施形態では、コンピュータ１０に電話機２０を通信回線で接続し、コンピュータ１０から指示信号を送信することによって電話をかける場合について説明した。すなわち、本発明における通信手段が電話機２０であり、通信手段が通信回線を介してコンピュータに接続されている場合について説明した。しかし本発明における通信手段はこの例に限定されない。例えば、ハンドセットやヘッドセットを備え、電話機能を有するコンピュータ（いわゆるパソコン電話）を用いることとしてもよい。この場合、点灯パターン認証の処理と、特定された人物に電話をかける処理とをともに一台のコンピュータで行うように構成することができる。
【００８６】
また、本実施形態では、ディスプレイ１０７に表示される画像の領域を、マウス１１０によって選択する場合について説明した。すなわち、本発明における選択手段が、マウス（ポインティングデバイス）である場合について説明した。しかし本発明における選択手段は、ポインティングデバイスに限定されない。例えば、ディスプレイ（表示手段）の前面に設置されたタッチパネルであってもよい。選択手段としてタッチパネルを用いる場合には、画像中の選択したい領域に対応するタッチパネル上の所定箇所に触れることで、選択する領域を直感的に容易に指定することができる。
【００８７】
また、本実施形態では、携帯端末機として携帯電話機５０を用いる場合について説明した。しかし本発明における携帯端末機は携帯電話機に限定されず、例えば、無線通信機であってもよい。携帯端末機として無線通信機を用いる場合には、無線通信機に固有の周波数を示すデータと、該無線通信機を使用する人物の固有データとを対応付けて記憶すればよい。
【００８８】
なお、撮像されて得られた画像から輝度データに基づいて発光体の点灯を検出する技術は、特許第３６７１４６０号明細書等に開示されている。
【００８９】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００９０】
【図１】本発明の一実施形態に係る個人識別通信システムの全体構成を示す概略図である。
【図２】図１に示したヘッドセットを模式的に示す斜視図である。
【図３】ヘッドセットの内部構成を示すブロック図である。
【図４】図１に示したコンピュータの内部構成を示すブロック図である。
【図５】図１に示した電話機の内部構成を示すブロック図である。
【図６】図１に示したカメラの内部構成を示すブロック図である。
【図７】図１に示した携帯電話機の内部構成を示すブロック図である。
【図８】固有データテーブルの一例を示す図である。
【図９】コンピュータが備えるディスプレイに表示される画像の一例を示す図である。
【図１０】コンピュータが備えるディスプレイに表示される画像の一例を示す図である。
【図１１】コンピュータが備えるディスプレイに表示される画像の一例を示す図である。
【図１２】コンピュータにおいて実行される個人識別通信実行処理のサブルーチンを示すフローチャートである。
【図１３】ヘッドセットの制御部において行われる点灯パターン変更処理のサブルーチンを示すフローチャートである。
【符号の説明】
【００９１】
１  個人識別通信システム
１０  コンピュータ
２０  電話機
４０  カメラ
５０  携帯電話機
７０  ヘッドセット
７５  ＬＥＤ
１０１  ＣＰＵ
１０２  ＲＯＭ
１０３  ＲＡＭ
１０５  無線通信部
１０７  ディスプレイ
１１０  マウス
７０１  ＣＰＵ
７０８  発光制御回路
【図１】
2008305193.tif 000003
【図２】
2008305193.tif 000004
【図３】
2008305193.tif 000005
【図４】
2008305193.tif 000006
【図５】
2008305193.tif 000007
【図６】
2008305193.tif 000008
【図７】
2008305193.tif 000009
【図８】
2008305193.tif 000010
【図９】
2008305193.tif 000011
【図１０】
2008305193.tif 000012
【図１１】
2008305193.tif 000013
【図１２】
2008305193.tif 000014
【図１３】
2008305193.tif 000015